(57)【要約】      （修正有）【課題】容易に飲料容器の口金の傾きを補修できる補修治具を提供する。【解決手段】内容物が充填される容器部７と、容器部から円筒状に延びて先端部にフランジ部６が形成された口金５と、を備える飲料容器の変形を補修する補修治具１であって、フランジ部を係止する係止部２と、係止部から延びる持ち手部３と、を備える。係止部は、係止部がフランジ部を係止する際にフランジ部の容器部側の面６ａが当接される第１の当接面２３ｂと、フランジ部の容器部とは反対側の面６ｂが当接される第２の当接面２３ｃとを有する。【選択図】図５
0003204148.tif 000002
【実用新案登録請求の範囲】
【請求項１】
内容物が充填される容器部と、前記容器部から円筒状に延びて先端部にフランジ部が形成された口金と、を備える飲料容器の変形を補修する補修治具であって、
前記フランジ部を係止する係止部と、
前記係止部から延びる持ち手部と、を備え、
前記係止部は、当該係止部が前記フランジ部を係止する際に前記フランジ部の前記容器部側の面が当接される第１の当接面と、当該係止部が前記フランジ部を係止する際に前記フランジ部の前記容器部とは反対側の面が当接される第２の当接面とを有することを特徴とする補修治具。
【請求項２】
前記係止部は、前記フランジ部が挿入される溝部を有し、
前記溝部は、前記フランジ部の形状に沿った円弧状に延びており、
前記第１の当接面は、前記溝部に設けられていることを特徴とする請求項１に記載の補修治具。
【請求項３】
前記溝部は、半円弧形状であることを特徴とする請求項２に記載の補修治具。
【請求項４】
前記溝部の溝底面は、先端部において径方向に傾斜することを特徴とする請求項２又は３に記載の補修治具。
【請求項５】
前記第１の当接面は、前記溝部の溝底面から前記溝部の円弧中心方向に延びた面であることを特徴とする請求項２〜４の何れか一項に記載の補修治具。
【請求項６】
前記第１の当接面は、前記溝部の溝底面の先端よりも前記フランジ部の挿入方向と逆方向側に突出していることを特徴とする請求項５に記載の補修治具。
【請求項７】
前記第２の当接面は、前記第１の当接面よりも前記フランジ部の挿入方向と逆方向の側に位置する当接領域を有することを特徴とする請求項２〜６の何れか一項に記載の補修治具。
【請求項８】
前記持ち手部は、前記第１の当接面と直交する方向に延びていることを特徴とする請求項１〜７の何れか一項に記載の補修治具。
【請求項９】
前記フランジ部の水平状態を確認する水平器を更に備えることを特徴とする請求項１〜８の何れか一項に記載の補修治具。
【考案の詳細な説明】
【技術分野】
【０００１】
本考案は、補修治具、特に、飲料容器の変形を補修する補修治具に関する。
【背景技術】
【０００２】
製造工場で製造された飲料を搬送するビール樽などの容器は、一般に、ステンレスなどの金属製であり繰り返し使用される。このような容器は、積み降ろしなどの取扱いにおいて変形する場合があり、変形を補修する技術は、例えば特許文献１や特許文献２に開示されている。
【０００３】
特許文献１は、容器の上鏡や下鏡に凹陥による変形が生じた場合に、口金から修理具の先端側を挿入することで変形を補修する修理装置について開示している。また、特許文献２は、容器のスカート部の変形を補修する補修装置について開示している。
【先行技術文献】
【特許文献】
【０００４】
【特許文献１】特許第３５７２３３１号
【特許文献２】特開２０１１−１０４６３９号公報
【考案の概要】
【考案が解決しようとする課題】
【０００５】
上記容器の積み降ろしなどの取扱いでは、口金が外力を受けて傾く場合がある。これにより、内容物の充填や排出ができなくなると、容器を廃棄せざるを得ないという問題がある。このような容器の変形は、特許文献１や特許文献２に記載の補修装置では補修することができない。
【０００６】
そこで、本考案は、口金が傾いて変形した容器を補修する補修治具を提供することを目的とする。
【課題を解決するための手段】
【０００７】
上記課題を解決するため、本考案に係る補修治具は、内容物が充填される容器部と、前記容器部から円筒状に延びて先端部にフランジ部が形成された口金と、を備える飲料容器の変形を補修する補修治具であって、フランジ部を係止する係止部と、係止部から延びる持ち手部と、を備え、係止部は、当該係止部がフランジ部を係止する際にフランジ部の容器部側の面が当接される第１の当接面と、当該係止部がフランジ部を係止する際にフランジ部の容器部とは反対側の面が当接される第２の当接面とを有する。
【０００８】
本考案に係る補修治具では、係止部によってフランジ部を係止した状態でユーザが持ち手部を操作することで、傾いた口金を容易に元の状態に戻すことができる。そのため、以前は廃棄していた飲料容器についても再利用できるようになり、大幅なコスト削減を実現できる。
【０００９】
上記補修治具において、係止部は、フランジ部が挿入される溝部を有し、溝部は、フランジ部の形状に沿った円弧状に延びており、第１の係止面は、溝部に設けられていてもよい。溝部がフランジ部の形状に沿った円弧状であるため、フランジ部を挿入することでフランジ部を簡易に係止状態とすることができる。また、第１の当接面が溝部に設けられているため、フランジ部の容器部側の面に当接する領域を広くすることできる。これにより、当該面を安定して係止できる。
【００１０】
上記補修治具において、溝部は、半円弧形状であってもよい。これにより、フランジ部を挿入可能な範囲で溝部を長くすることができる。
【００１１】
上記補修治具において、溝部の溝底面は、先端部において径方向に傾斜してもよい。これにより、フランジ部の溝部へのガイドが簡易となる。
【００１２】
上記補修治具において、第１の当接面は、溝底面から溝部の円弧中心方向に延びた面であってもよい。これにより、フランジ部の容器部側の面に当接する領域を広くすることができる。
【００１３】
上記補修治具において、第１の当接面は、溝部の溝底面の先端よりもフランジ部の挿入方向と逆方向側に突出してもよい。これにより、フランジ部を挿入可能な範囲で第１の当接面を広くとることができる。
【００１４】
上記補修治具において、第２の当接面は、第１の当接面よりもフランジ部の挿入方向と逆方向の側に位置する当接領域を有してもよい。これにより、フランジ部の係止が安定し、口金の傾きの補修が簡易になる。
【００１５】
上記補修治具において、持ち手部は、第１の当接面と直交する方向に延びるように構成されてもよい。これにより、補修治具の操作性が向上する。
【００１６】
上記補修治具において、フランジ部の水平状態を確認する水平器を備えてもよい。これにより、口金の傾きが補修されたかを容易に確認することができる。
【考案の効果】
【００１７】
本考案によれば、容易に口金の傾きを補修することができる。
【図面の簡単な説明】
【００１８】
【図１】実施形態の補修治具を示す斜視図である。
【図２】図１に示す補修治具のＡ−Ａ線における端面図である。
【図３】図１に示す補修治具のＢ−Ｂ線における端面図である。
【図４】図１に示す補修治具の底面図である。
【図５】実施形態の補修治具に傾いた口金を挿入した状態を示す概念図である。
【図６】実施形態の補修治具によって口金の傾きを補修した状態を示す概念図である。
【図７】飲料容器の断面図である。
【考案を実施するための形態】
【００１９】
以下、図面を参照して、本考案に係る補修装置の実施形態について詳細に説明する。また、図面の説明において、同一又は相当部分には同一符号を付し、重複する説明を省略する。
【００２０】
まず、図７を用いて、本実施形態における補修治具を使用する飲料容器について説明する。図７は、飲料容器の断面図である。
【００２１】
飲料容器１０は、内容物の充填や排出を行う口金５と、内容物が充填される容器部７と、口金５や容器部７の上面を保護するためのスカート部８と、を備える。口金５は、容器部７から円筒状に延びている。口金５の先端部には、口金５の径方向外方に延びるフランジ部６が形成されている。フランジ部６は、容器部７側の面である下面６ａと、容器部７とは反対側の面である上面６ｂと、を備える。
【００２２】
飲料容器１０は、スカート部８を備えているが、積み降ろしなどの取扱いで口金５が外力を受けて傾く場合がある。これにより、内容物の充填や排出ができなくなると、飲料容器１０を廃棄せざるを得ないという問題が生じる。
【００２３】
次に、図１から図４を用いて、飲料容器における口金５の傾きを補修する補修治具について説明する。図１は、本実施形態の補修治具を示す斜視図である。図２は、図１に示す補修治具のＡ−Ａ線における端面図である。図３は、図１に示す補修治具のＢ−Ｂ線における端面図である。図４は、図１に示す補修治具の底面図である。
【００２４】
補修治具１は、飲料容器１０の変形を補修する補修治具である。補修治具１は、フランジ部を係止する係止部２と、係止部２から延びる持ち手部３と、フランジ部６の水平状態を確認する水平器４と、を備える。
【００２５】
係止部２は、円柱形状であり、その内部に、中空空間２５が形成されている。中空空間２５は、円柱形状であり、係止部２の円柱底面２４を貫通している。中空空間２５を形成する係止部２の内周面２２は、係止部２の外周面２６と同心円状であり、かつ、口金５の外周に沿った形状となっている。また、係止部２は、円柱側面方向から中空空間２５に口金５の一部を挿入する挿入口２７を有する。挿入口２７は、係止部２の側面部を切り欠くことにより中空空間２５を係止部２の側方に開放する開口である。挿入口２７から中空空間２５に挿入された口金５は、係止部２の円柱底面２４から抜けて、容器部７に向かって延びることとなる。
【００２６】
係止部２の内周面２２には、口金５のフランジ部６が挿入される溝部２３が設けられている。溝部２３は、フランジ部６の外周形状に沿って円弧状に延びる。溝部２３は、溝底面２３ａと、溝側面となる第１の当接面２３ｂ及び第２の当接面２３ｃと、を備える。
【００２７】
溝底面２３ａは、フランジ部６の外周形状に沿った円弧形状部２３ａ’と、溝底面２３ａの先端部において径方向に傾斜した傾斜部２３ａ’’と、を備える。円弧形状部２３ａ’は、中心角が略１８０度となる半円弧形状となっている。溝底面２３ａの先端部とは、溝底面２３ａの挿入口２７の付近の部分をいう。このため、挿入口２７において、溝底面２３ａが広がっている。
【００２８】
第１の当接面２３ｂは、係止部２がフランジ部６を係止する際にフランジ部６の下面６ａが当接される面である。第１の当接面２３ｂは、溝底面２３ａに沿った馬蹄形状を有している。第１の当接面２３ｂは、溝底面２３ａにおける係止部２の円柱底面２４側の端縁から溝部２３の円弧中心方向（内周面２２の中心方向）に延びた面２３ｂ’と、溝底面２３ａの先端Ａよりもフランジ部６の挿入方向Ｄと逆方向側に突出した面２３ｂ’’と、を有する。第１の当接面２３ｂは、面２３ｂ’’を有するため、内周面２２の中心Ｏに対して第１の当接面２３ｂの先端Ｂがなす中心角θは、中心Ｏに対して溝底面２３ａの先端Ａがなす中心角よりも大きい。本実施形態では、第１の当接面２３ｂの先端Ｂによる中心角θは、２３０度となっている。
【００２９】
第２の当接面２３ｃは、係止部２がフランジ部６を係止する際にフランジ部６の上面６ｂが当接される面である。第２の当接面２３ｃは、溝底面２３ａにおける係止部２の円柱上面２１側の端縁から、フランジ部６の挿入方向Ｄと逆方向に延びている。第１の当接面２３ｂと第２の当接面２３ｃとは、平行である。第２の当接面２３ｃは、係止部２の外周面２６を円弧とする略円形状となっている。このため、第２の当接面２３ｃは、第１の当接面２３ｂの先端Ｂよりもフランジ部６の挿入方向Ｄとは逆方向の側に位置する当接領域Ｃを有している。
【００３０】
持ち手部３は、係止部２よりも径の小さいシャフト形状を有する。持ち手部３の一端は、係止部２の円柱上面２１に溶接されている。また、持ち手部３は、内周面２２及び溝部２３の中心軸線上において、第１の当接面２３ｂ及び第２の当接面２３ｃと直交する方向に延びている。
【００３１】
水平器４は、係止部２及び持ち手部３の何れに設置されてもよいが、フランジ部６の水平状態を容易に確認する観点から、持ち手部３に設置されていることが好ましい。水平器４としては、例えば、気泡管水平器、デジタル水平器を用いることができる。
【００３２】
次に、図５及び図６を用いて、補修治具１による口金５の傾きの補修方法について詳細に説明する。
【００３３】
まず、フランジ部６の下面６ａが第１の当接面２３ｂの面２３ｂ’’と向かい合うように、挿入口２７から中空空間２５に口金５を挿入する。そして、フランジ部６を溝部２３に挿入する。このとき、フランジ部６が溝部２３の溝底面２３ａ、第１の当接面２３ｂ及び第２の当接面２３ｃにガイドされることにより、中空空間２５に挿入された口金５は、内周面２２の挿入口２７とは反対側の部分に当接される。口金５が内周面２２の挿入口２７とは反対側の部分に当接された位置を、係止位置という。口金５が係止位置まで挿入されると、フランジ部６の下面６ａが、第１の当接面２３ｂの面２３ｂ’と対向するとともに、フランジ部６の上面６ｂが、第２の当接面２３ｃの当接領域Ｃと対向した状態となる。そして、フランジ部６の下面６ａと第１の当接面２３ｂの面２３ｂ’との間、又は、フランジ部６の上面６ｂと第２の当接面２３ｃの当接領域Ｃとの間には、隙間が形成されているため、持ち手部３を挿入方向Ｄと反対側に傾けることで、フランジ部６の下面６ａが第１の当接面２３ｂの面２３ｂ’に当接されるとともに、フランジ部６の上面６ｂが第２の当接面２３ｃに当接される。これにより、図５に示すように、フランジ部６が係止部２に係止された状態となる。
【００３４】
この状態において、ユーザが、持ち手部３を挿入方向Ｄと反対側に傾けて、持ち手部３に対して、第１の当接面２３ｂとフランジ部６の下面６ａの当接位置から第２の当接面２３ｃとフランジ部６の上面６ｂの当接位置へ向かう方向に力を加えると、口金５には傾きが補修されるように力が加わる。
【００３５】
そして、図６に示すように、フランジ部６の下面６ａに第１の当接面２３ｂを添わせた状態として、補修治具１に設けた水平器４により、フランジ部６が水平状態となったかを確認する。フランジ部６が水平状態となっていれば、口金５の傾きは補修されたと考えられるため、口金５の傾きの補修が完了する。なお、フランジ部６が水平状態となっていなければ、フランジ部６が水平状態となるまで、更に持ち手部３を操作して口金５の傾きを補修する。なお、フランジ部６の上面６ｂの全体に第２の当接面２３ｃを当接させた状態とすることによっても、同様に、フランジ部６が水平状態となっているかを確認できる。
【００３６】
このように本実施形態における補修治具１によれば、傾いた口金５のフランジ部６を溝部２３に沿って所定の係止位置まで誘導することで、第１の当接面２３ｂ及び第２の当接面２３ｃによりフランジ部６を安定して係止することができる。そのため、ユーザが持ち手部３を操作することで、傾いた口金５を元の水平状態へ容易に補修できる。これにより、以前は廃棄していた容器についても再利用できるようになり、大幅なコスト削減を実現できる。
【００３７】
また、溝部２３がフランジ部６の形状に沿った円弧状であるため、フランジ部６を挿入することでフランジ部６を簡易に係止状態とすることができる。また、第１の当接面２３ｂが溝部２３に設けられているため、フランジ部６の下面６ａに当接する領域を広くすることできる。これにより、当該下面６ａを安定して係止できる。
【００３８】
また、溝部２３を半円弧形状とすることで、フランジ部６を挿入可能な範囲で溝部２３を長くすることができる。ここで、溝部２３は、口金５を中空空間２５に挿入する際にフランジ部６をガイドする機能も備えるため、溝部２３が長くなることで、口金５を中空空間２５に挿入しやすくなる。
【００３９】
また、溝部２３の溝底面２３ａは、フランジ部６を挿入する挿入口２７付近、すなわち溝部２３の先端部において径方向に傾斜する傾斜部２３ａ’’を備える。これにより、フランジ部６の溝部２３へのガイドが簡易となる。
【００４０】
また、第１の当接面２３ｂは、溝底面２３ａから溝部２３の円弧中心方向に延びている。これにより、フランジ部６の下面６ａに当接する領域を広くすることができる。
【００４１】
また、第１の当接面２３ｂは、フランジ部６の挿入方向Ｄにおいて、溝部２３の溝底面２３ａの先端よりも逆方向側に突出している。これにより、フランジ部６を挿入可能な範囲で第１の当接面２３ｂを広くとることができる。
【００４２】
また、第２の当接面２３ｃは、第１の当接面２３ｂよりもフランジ部６の挿入方向Ｄと逆方向の側に位置する当接領域Ｃを有する。これにより、フランジ部６の係止が安定し、口金５の傾きの補修が簡易になる。
【００４３】
また、持ち手部３は、第１の当接面２３ｂと直交する方向に延びるように構成されている。これにより、補修治具１の操作性が向上する。
【００４４】
また、フランジ部６の水平状態を確認する水平器４を備えている。これにより、口金５が補修されたかを容易に確認することができる。
【００４５】
以上、本考案の実施形態について説明したが、本考案に係る補修治具は上記に限定されず、種々の変更を行うことができる。
【００４６】
例えば、上記実施形態ではフランジ部６の上面６ｂと当接する第２の当接面２３ｃが溝部２３に含まれることとしたが、フランジ部６の上面６ｂと当接する第２の当接面と溝側面とを別平面に設けてもよい。
【００４７】
また、上記実施形態では、第２の当接面２３ｃの当接領域Ｃとフランジ部６とが当接する例を示したが、フランジ部６の係止状態において第２の当接面２３ｃの全面あるいは第２の当接面２３ｃのうち当接領域Ｃ以外の領域とフランジ部６とを当接することでフランジ部６を係止してもよい。
【００４８】
また、上記実施形態では、第１の当接面２３ｂが第２の当接面２３ｃと平行となる例を示したが（図４参照）、第１の当接面２３ｂは、挿入口２７に向けて第２の当接面２３ｃから離れる方向に傾斜して構成されてもよい。第１の当接面２３ｂのうち、第２の当接面２３ｃから離れる方向に傾斜して構成される部分は、面２３ｂ’’とすることができる。これにより、挿入口２７の付近では第１の当接面２３ｂと第２の当接面２３ｃとの間隔が広がるため、口金５の中空空間２５へのガイドが簡易となる。
【００４９】
また、上記実施形態では、内周面２２が挿入口２７の付近において挿入方向Ｄと平行になるように示したが（図１〜図４参照）、内周面２２は、挿入口２７の付近において径方向に傾斜して構成されてもよい。これにより、挿入口２７の付近では対向する内周面２２の間隔が広がるため、口金５の中空空間２５へのガイドが簡易となる。
【００５０】
また、上記実施形態では係止部２を円柱形状としたが、係止部２の内部が口金５を係止できる形状となっていればよく、係止部２の外形は円柱形状に限らない。
【００５１】
また、上記実施形態では係止部２と持ち手部３を溶接により接続することとしたが、これに限らず、口金５の傾きを補修できる程度の強度で接続されていればよい。
【符号の説明】
【００５２】
１…補修治具、２…係止部、２１…円柱上面、２２…内周面、２３…溝部、２３ａ…溝底面、２３ａ’…円弧形状部、２３ａ’’…傾斜部、２３ｂ…第１の当接面、２３ｂ’…面、２３ｂ’’…面、２３ｃ…第２の当接面、２４…円柱底面、２５…中空空間、２６…外周面、２７…挿入口、３…持ち手部、４…水平器、５…口金、６…フランジ部、６ａ…下面、６ｂ…上面、７…容器部、Ａ…先端、Ｂ…先端、Ｃ…当接領域。
【図１】
0003204148.tif 000003
【図２】
0003204148.tif 000004
【図３】
0003204148.tif 000005
【図４】
0003204148.tif 000006
【図５】
0003204148.tif 000007
【図６】
0003204148.tif 000008
【図７】
0003204148.tif 000009